(57)【要約】      （修正有）【課題】オムツ内の湿気に関しては、吸収された水分と体内から発する汗により、湿気を除去することが困難な場合が多く、床ずれ発生の要因となっている。【解決手段】外装部９と綿パルプ８及び吸水紙７の３層構造からなる紙オムツであって、腰及びお尻にあたる部分の綿パルプと吸水紙に升目状の切れ目を入れることで、綿パルプと吸水紙が切れ目に沿って取り外すことができることを特徴とする紙オムツ。【選択図】図２
0003135670.tif 000002
【実用新案登録請求の範囲】
【請求項１】
外装部と綿パルプ及び給水紙により３層構造からなる紙オムツにおいて、腰及びお尻の部分の綿パルプと給水紙を、取り外すことができることを特徴とする紙オムツ。
【請求項２】
綿パルプと給水紙を取り外した部分に、防水シートを貼り付けることを特徴とした、請求項１の紙オムツ。
【請求項３】
取り外すことができる綿パルプと給水紙の個数を、任意に変えることができることを特徴とする請求項１の紙オムツ。
【考案の詳細な説明】
【技術分野】
【０００１】
本考案は通気性に優れた紙オムツに関する
【背景技術】
【０００２】
従来の紙オムツは、人体に隙間なく履くことで、吸収する水分を外部に漏れないような構造をとっているため、その影響としてオムツ内の水分が密閉された空間の中に湿気として溜まることにより、長期間入院や介護等が必要となった場合、皮膚が湿気により軟弱化し、床ずれが起きやすい欠点がある。
【特許文献１】実開平５−２１９３４
【考案の開示】
【考案が解決しようとする課題】
【０００３】
現在商品化されている紙オムツは、吸収した水分が戻らないような特殊繊維を使用し、オムツ内の湿気を極力抑え、素材の改良により履き心地も優れた製品が多い。しかし、オムツの構造が水分を外部に漏れないようにするため、密閉構造にする必要性があり、オムツ内の湿気に関しては、吸収された水分と体内から発する汗により、湿気を除去することが困難な場合が多い。
【０００４】
特に床ずれに関しては、ベッドや敷きふとんと接する腰部とその周りが、水分を吸収した綿パルプの湿気により蒸れ、床ずれ発生の要因となっている。
【課題を解決するための手段】
【０００５】
本考案はこの床ずれを防止するために、腰とおしり周りの湿気を除去する方法として、通気性を良くするための構造を、従来の紙オムツの形状を損なわず、実施できるものである。
【０００６】
紙オムツ内側の腰やおしりにあたる部分に、升目状に切れ目を入れ、湿気の要因となる、綿パルプと吸水紙を必要に応じて、必要な箇所を取り外すことができる構造とする。
【０００７】
取り外した綿パルプと吸水紙の部分に、水分が逆流せず湿気や水分は外側に向けて通気性のある、吸水紙と同素材で構成された、防水シートを貼り付ける。
【考案の効果】
【０００８】
これにより、湿気の要因となる紙パルプがなくなり、腰やおしりの周りの通気性をよくし、湿気を低減することができ、床ずれが出来にくくなる。
症状に合わせ、取り外す紙パルプの位置や量の調整が簡易的に可能となる。
【０００９】
試験的に試作品を用いて行ったモニターテストでは、１週間で床ずれの改善がみられ、２週間でほぼ完治できた。
【考案を実施するための最良の形態】
【００１０】
このオムツの構造について、図面を引用して説明する。
図１にあるように、オムツ内側の腰とおしりにあたる部分に、升目状の切れ目を入れる。これにより、綿パルプと吸水紙が、切れ目に沿って取り外すことができる構造とする。
【００１１】
升目状の切れ目は、複数個を微調整が可能なように細かく入れることも、大きめに入れ取り外しを簡易化することも可能である。
また、綿パルプと給水紙の取り外し範囲についても、症状に合わせ広げることや狭くすることも可能である。
【００１２】
オムツとは別に、吸水紙と同素材の防水シートを用意し、取り外した綿パルプの部分に貼り付ける。
【実施例１】
【００１３】
図２は、綿パルプと給水紙を９分割して取り外せるようにしたもので、取り外した後に防水シートを貼り付けた状態を示すものである。
紙パルプと給水紙の取り外し個数は、湿気の調整が可能なように、細かくして個数を多くすることも、取り外しを簡易化するため、大きめにして個数を少なくすることも可能である。
【産業上の利用可能性】
【００１４】
病院や介護施設、自宅において、寝たきりの患者や、入院により長期療養が必要な患者の床ずれ防止用具として、利用が可能である。
【図面の簡単な説明】
【００１５】
【図１】本考案の展開図
【図２】図１Ａ−Ａ’断面図
【図３】綿パルプ、給水紙を取り、防水シートを貼り付けた状態を表す図
【図４】図２Ｂ−Ｂ’断面図
【図５】防水シート
【符号の説明】
【００１６】
１  オムツ本体
２  綿パルプ部
３  取り外し可能な綿パルプと給水紙部
４  オムツ固定ベルト部
５  綿パルプと給水紙取り外し部
６  防水シート
７  給水紙
８  綿パルプ
９  外装部
【図１】
0003135670.tif 000003
【図２】
0003135670.tif 000004
【図３】
0003135670.tif 000005
【図４】
0003135670.tif 000006
【図５】
0003135670.tif 000007
【手続補正書】
【提出日】平成19年7月13日(2007.7.13)
【手続補正１】
【補正対象書類名】実用新案登録請求の範囲
【補正対象項目名】全文
【補正方法】変更
【補正の内容】
【実用新案登録請求の範囲】
【請求項１】
外装部９と綿パルプ８及び吸水紙７の３層構造からなる紙オムツであって、腰及びお尻にあたる部分の綿パルプと吸水紙に升目状の切れ目を入れることで、綿パルプと吸水紙が切れ目に沿って取り外すことができることを特徴とする紙オムツ。
【請求項２】
綿パルプと吸水紙を取り外した部分に、防水シートを貼り付けることを特徴とした、請求項１記載の紙オムツ。
【請求項３】
綿パルプと吸水紙に入れる切れ目を、升目の数を変えることで、取り外す綿パルプと吸水紙の個数を任意に選択できることを特徴とする請求項１記載の紙オムツ。
【手続補正２】
【補正対象書類名】明細書
【補正対象項目名】００１１
【補正方法】変更
【補正の内容】
【００１１】
升目状の切れ目は、複数個を微調整が可能なように細かく入れることも、大きめに入れ取り外しを簡易化することも可能である。
また、綿パルプと吸水紙の取り外し範囲についても、症状に合わせ広げることや狭くすることも可能である。
【手続補正３】
【補正対象書類名】明細書
【補正対象項目名】００１３
【補正方法】変更
【補正の内容】
【００１３】
図３は、綿パルプと吸水紙を９分割して取り外せるようにしたもので、取り外した後に防水シートを貼り付けた状態を示すものである。
紙パルプと吸水紙の取り外し個数は、湿気の調整が可能なように、細かくして個数を多くすることも、取り外しを簡易化するため、大きめにして個数を少なくすることも可能である。
【手続補正４】
【補正対象書類名】明細書
【補正対象項目名】００１５
【補正方法】変更
【補正の内容】
【００１５】
【図１】本考案の展開図
【図２】図１Ａ−Ａ'断面図
【図３】綿パルプ、吸水紙を取り、防水シートを貼り付けた状態を表す図
【図４】図２Ｂ−Ｂ'断面図
【図５】防水シート
【手続補正５】
【補正対象書類名】明細書
【補正対象項目名】００１６
【補正方法】変更
【補正の内容】
【００１６】
１  オムツ本体
２  綿パルプ部
３  取り外し可能な綿パルプと吸水紙部
４  オムツ固定ベルト部
５  綿パルプと吸水紙取り外し部
６  防水シート
７  吸水紙
８  綿パルプ
９  外装部